(57)【特許請求の範囲】
【請求項１】
空気流通口を有する底壁と、前記底壁の縁部において折り曲げ形成された側壁と、を有して箱状に形成された筐体フレームと、
壁状の底部を有し前記底壁と前記側壁とに跨って内側に抉るように設けられた凹部と、
把持可能な把持部と、前記把持部の両端部それぞれから同方向に折り曲げられた一対の接続部と、前記一対の接続部それぞれの先端から折れ曲がり、前記凹部内において前記側壁と平行で前記把持部を通らない仮想の一軸線を軸線として互いに離れる方向に延びる一対の腕部と、を有するハンドルと、
前記一対の腕部それぞれを前記一軸線まわりに回動可能に係合させる一対の係合部と、
前記一対の腕部の前記底部に接近する方向の回動を所定の回動位置で規制する規制部と、
を備え、
前記ハンドルは、前記所定の回動位置において、前記把持部の少なくとも前記一軸線側の部分と前記底部とが、前記側壁に直交する方向において離隔し、かつ前記把持部の少なくとも一部が前記凹部内に収められており、
前記底部における前記一軸線とは反対側の縁部に接続すると共に前記一軸線から離れるにしたがって外方向に傾斜延出した誘導壁部を備えていることを特徴とする電気集塵機。
【請求項２】
前記一対の腕部を、前記所定の回動位置に向かうよう回動付勢する付勢部材を備えていることを特徴とする請求項１記載の電気集塵機。
【請求項３】
前記誘導壁部が前記規制部として機能し、前記把持部が前記誘導壁部に当接して前記一対の腕部の回動を前記所定の回動位置で規制することを特徴とする請求項２記載の電気集塵機。
【請求項４】
前記把持部は、前記誘導壁部における前記一軸線から遠い側の部位に当接することを特徴とする請求項３記載の電気集塵機。
【請求項５】
前記底部の外面は平面状であり、前記誘導壁部の外面は、前記底部に対し傾斜する平面状であることを特徴とする請求項１〜４のいずれか１項に記載の電気集塵機。
【請求項６】
請求項１〜５のいずれか１項に記載された電気集塵機であって、
厚さの方向に一体化された集塵部及び荷電部を備え、
前記厚さに直交する一方向の外形において前記集塵部は前記荷電部からはみ出しており、
前記荷電部は前記筐体フレームを有し、
前記ハンドルは、前記把持部の一部が前記凹部から突出すると共に前記集塵部の外形が前記把持部における最も突出した部位に対して同じ位置又は外側の位置にあることを特徴とする電気集塵機。
【請求項７】
厚さ方向に一体化された集塵部及び荷電部を備え、
前記厚さ方向に直交する一方向の外形において前記集塵部は前記荷電部からはみ出しており、
前記荷電部は、
空気流通口を有する底壁と、前記底壁の縁部において折り曲げ形成された側壁と、を有して箱状に形成された筐体フレームと、
前記筐体フレームにおける前記一方向の前記側壁と前記底壁とに跨って、壁状の底部を有して内側に抉るように設けられた凹部と、
把持可能な把持部と、前記把持部の両端部それぞれから同方向に折り曲げられた一対の接続部と、前記一対の接続部それぞれの先端から折れ曲がり、前記凹部内において前記一方向の側壁と平行で前記把持部を通らない仮想の一軸線を軸線として互いに離れる方向に延びる一対の腕部と、を有するハンドルと、
前記一対の腕部それぞれを前記一軸線まわりに回動可能に係合させる一対の係合部と、
前記一対の腕部の前記一軸線まわりの回動において前記把持部が前記底部に接近する方向の回動を所定の回動位置で規制する規制部と、
を備え、
前記ハンドルは、前記所定の回動位置にあるときに、前記把持部と前記底部とが前記一方向の側壁に直交する方向において離隔し、かつ前記把持部の一部が前記凹部から突出すると共に前記集塵部の外形が前記把持部における最も突出した部位に対して同じ位置又は外側の位置にあることを特徴とする電気集塵機。
【請求項８】
前記荷電部は、複数の極板を有し、前記底部と、前記複数の極板の内の前記凹部に隣接する前記極板とが平行であることを特徴とする請求項６又は請求項７記載の電気集塵機。
【発明の詳細な説明】
【技術分野】
【０００１】
本発明は、電気集塵機に係り、特に、取っ手を有する電気集塵機に関する。
【背景技術】
【０００２】
空気中の塵埃を捕集する電気集塵機は、例えば天井や床置きのエアコン内に収容されて用いられる。
そのため、電気集塵機として、収容作業での取扱いを容易にすべく取っ手を備えたものが知られている。
【０００３】
特許文献１に記載された電気集塵機（電気集塵エレメント）は、ポリプロピレンなどの樹脂により可撓性を有する薄肉に形成された取っ手を備えている。
そして、その取っ手の掴み部が、ケーシングの外壁に沿った収容位置と、外壁に対し浮揚した使用位置と、の間で自由スライドするようになっている。
【先行技術文献】
【特許文献】
【０００４】
【特許文献１】特許第３２０３９６８号公報
【発明の概要】
【発明が解決しようとする課題】
【０００５】
特許文献１に記載された電気集塵機の取っ手は、初期状態において十分に柔軟であるが、樹脂の一般的傾向として、時間経過と共に物性が劣化する方向にある。
そのため、電気集塵機を長期間使用した場合、取っ手が初期状態よりも硬く、かつ脆くなり、初期状態での良好な使い勝手が損なわれることが懸念される。
【０００６】
そこで、本発明が解決しようとする課題は、長期間使用しても、備えた取っ手の、初期状態の良好な使い勝手が維持される電気集塵機を提供することにある。
【課題を解決するための手段】
【０００７】
上記の課題を解決するために、本発明は次の１）〜８）の構成を有する。
１）  空気流通口を有する底壁と、前記底壁の縁部において折り曲げ形成された側壁と、を有して箱状に形成された筐体フレームと、
壁状の底部を有し前記底壁と前記側壁とに跨って内側に抉るように設けられた凹部と、
把持可能な把持部と、前記把持部の両端部それぞれから同方向に折り曲げられた一対の接続部と、前記一対の接続部それぞれの先端から折れ曲がり、前記凹部内において前記側壁と平行で前記把持部を通らない仮想の一軸線を軸線として互いに離れる方向に延びる一対の腕部と、を有するハンドルと、
前記一対の腕部それぞれを前記一軸線まわりに回動可能に係合させる一対の係合部と、
前記一対の腕部の前記底部に接近する方向の回動を所定の回動位置で規制する規制部と、
を備え、
前記ハンドルは、前記所定の回動位置において、前記把持部の少なくとも前記一軸線側の部分と前記底部とが、前記側壁に直交する方向において離隔し、かつ前記把持部の少なくとも一部が前記凹部内に収められており、
前記底部における前記一軸線とは反対側の縁部に接続すると共に前記一軸線から離れるにしたがって外方向に傾斜延出した誘導壁部を備えていることを特徴とする電気集塵機である。
２）  前記一対の腕部を、前記所定の回動位置に向かうよう回動付勢する付勢部材を備えていることを特徴とする１）に記載の電気集塵機である。
３）  前記誘導壁部が前記規制部として機能し、前記把持部が前記誘導壁部に当接して前記一対の腕部の回動を前記所定の回動位置で規制することを特徴とする２）に記載の電気集塵機である。
４）  前記把持部は、前記誘導壁部における前記一軸線から遠い側の部位に当接することを特徴とする３）に記載の電気集塵機である。
５）  前記底部の外面は平面状であり、前記誘導壁部の外面は、前記底部に対し傾斜する平面状であることを特徴とする１）〜４）のいずれか１つに記載の電気集塵機である。
６）  １）〜５）のいずれか１つに記載された電気集塵機であって、
厚さの方向に一体化された集塵部及び荷電部を備え、
前記厚さに直交する一方向の外形において前記集塵部は前記荷電部からはみ出しており、
前記荷電部は前記筐体フレームを有し、
前記ハンドルは、前記把持部の一部が前記凹部から突出すると共に前記集塵部の外形が前記把持部における最も突出した部位に対して同じ位置又は外側の位置にあることを特徴とする電気集塵機である。
７）  厚さ方向に一体化された集塵部及び荷電部を備え、
前記厚さ方向に直交する一方向の外形において前記集塵部は前記荷電部からはみ出しており、
前記荷電部は、
空気流通口を有する底壁と、前記底壁の縁部において折り曲げ形成された側壁と、を有して箱状に形成された筐体フレームと、
前記筐体フレームにおける前記一方向の前記側壁と前記底壁とに跨って、壁状の底部を有して内側に抉るように設けられた凹部と、
把持可能な把持部と、前記把持部の両端部それぞれから同方向に折り曲げられた一対の接続部と、前記一対の接続部それぞれの先端から折れ曲がり、前記凹部内において前記一方向の側壁と平行で前記把持部を通らない仮想の一軸線を軸線として互いに離れる方向に延びる一対の腕部と、を有するハンドルと、
前記一対の腕部それぞれを前記一軸線まわりに回動可能に係合させる一対の係合部と、
前記一対の腕部の前記一軸線まわりの回動において前記把持部が前記底部に接近する方向の回動を所定の回動位置で規制する規制部と、
を備え、
前記ハンドルは、前記所定の回動位置にあるときに、前記把持部と前記底部とが前記一方向の側壁に直交する方向において離隔し、かつ前記把持部の一部が前記凹部から突出すると共に前記集塵部の外形が前記把持部における最も突出した部位に対して同じ位置又は外側の位置にあることを特徴とする電気集塵機である。
８）  前記荷電部は、複数の極板を有し、前記底部と、前記複数の極板の内の前記凹部に隣接する前記極板とが平行であることを特徴とする６）又は７）に記載の電気集塵機である。
【発明の効果】
【０００８】
本発明によれば、取っ手の、初期状態の良好な使い勝手が長期間維持される。
【図面の簡単な説明】
【０００９】
【図１】図１は、本発明の実施の形態に係る電気集塵機の実施例である電気集塵機５１を説明するための外観斜視図である。
【図２】図２は、電気集塵機５１が備える荷電部５２を説明するための斜視図である。
【図３】図３は、荷電部５２に取り付けられる取っ手ユニットＴの取付構造について説明する斜視的組立て図である。
【図４】図４は、取っ手ユニットＴの斜視的組立て図である。
【図５】図５は、取っ手ユニットＴを説明するための斜視図である。
【図６】図６は、取っ手ユニットＴにおけるハンドル１１の基準状態を説明するための図５におけるＳ６−Ｓ６位置での断面図である。
【図７】図７は、取っ手ユニットＴを荷電部５２に取り付けた状態を説明するための図１におけるＳ７−Ｓ７位置での断面図である。
【図８】図８は、取っ手ユニットＴのハンドル１１を、把持位置にした状態を説明するための断面図である。
【図９】図９は、図７に基づきハンドル１１の把持部１１ａへの指掛け動作について説明するための斜視図である。
【図１０】図１０は、変形例のベースプレート１２１〜１２３を説明するための部分断面図である。
【発明を実施するための形態】
【００１０】
本発明の実施の形態に係る電気集塵機について、実施例の電気集塵機５１により説明する。
まず、図１（外観斜視図）を参照して電気集塵機５１の全体構成を説明する。説明上、上下左右前後の各方向を図１に示される方向に規定する。各方向は、電気集塵機５１の使用姿勢などを限定するものではなく、単に説明上の便宜で設定している。
【００１１】
図１において、電気集塵機５１は、扁平直方体状の荷電部５２及び集塵部５３を有する。荷電部５２と集塵部５３とは、外形形状及び寸法がほぼ同じとされ、厚さ方向にネジなどにより分離可能に一体化されている。
ただし、前後方向においては、集塵部５３の方が荷電部５２よりも若干大きく、前方及び後方に若干はみ出している。
【００１２】
電気集塵機５１は、使用状態において、矢印Ｄａ方向（図１において上方から下方）に流れる空気流内に配置される。
従って、荷電部５２の上方側の面が空気流入口となり、金属メッシュのフィルタ５２ａが着脱自在に取り付けられている。
【００１３】
電気集塵機５１は、荷電部５２において、放電線（図示せず）に高圧を印加して、放電線と、アースになる筐体フレーム１に形成された極板２（図２参照）と、の間にコロナ放電を発生させ、そのコロナ放電で生じたイオンを空気中の塵埃に結合させて塵埃を帯電させる。
そして、荷電部５２に対し空気流の下流側に配置された集塵部５３において、荷電部５２で帯電した塵埃を、静電気力を利用して捕集するようになっている。
【００１４】
電気集塵機５１は、筐体フレーム１における対向する一対の側壁（前壁１ｂ及び後壁１ｃ）に、それぞれハンドル１１を有する取っ手ユニットＴを備えている。
使用者は、ハンドル１１を把持位置（後述）にして、電気集塵機５１を手で持ち運ぶことができる。
【００１５】
次に、荷電部５２及び取っ手ユニットＴについて詳述する。
図２は、荷電部５２のフィルタ５２ａを外した状態を左前斜め上方から見た斜視図である。
【００１６】
図２に示されるように、荷電部５２は、扁平箱状の金属製の筐体フレーム１を備えている。
筐体フレーム１は、矩形平板状の底壁１ａと、底壁１ａの四辺縁部において直角に折り曲げ形成された前壁１ｂ、後壁１ｃ，左壁１ｄ，及び右壁１ｅの四つの側壁を有する。
【００１７】
底壁１ａには、左右方向に二列とされた短冊状の切り起こし部が、複数ヶ所設けられている。切り起こされた概ね短冊状の部分が、底壁１ａに対し直交して起立した極板２とされている。各極板２は、左右上下方向に延在する短冊状を呈する。
【００１８】
前後方向に隣接する一対の極板２は、互いに平行対向しており、それらの高さ距離及び前後方向の内面間距離の中央位置に、放電線（図示せず）が左右方向に所定の張力で張られている。
【００１９】
極板２を形成するための切り起こしにより、底壁１ａには、極板２の形状に概ね対応した複数の開口部１ａ１が形成されている。
開口部１ａ１は、荷電部５２において、上述した空気流の空気流通口となり、詳しくは取り込み口となる。
【００２０】
一対の取っ手ユニットＴは、前壁１ｂ及び後壁１ｃそれぞれに略矩形開口部として形成された取付孔１ｂ１及び取付孔１ｃ１に取付られている。
取付孔１ｂ１及び取付孔１ｃ１への取付構造は同じなので、以下、代表として前壁１ｂにおける取っ手ユニットＴの取付構造について説明する。
【００２１】
図３は、図２におけるＡ部を拡大して、取っ手ユニットＴを取り付ける手順を示す組立て図である。
図３に示されるように、筐体フレーム１の左右方向中央部には、底壁１ａと前壁１ｂとに跨って前面視及び上面視で略長方形となる取付孔１ｂ１が形成されている。
【００２２】
一方、取っ手ユニットＴは、ベースプレート１２と、ベースプレート１２に対し回動軸線ＣＬｔまわりに回動可能（矢印Ｄａ参照）に取り付けられたハンドル１１と、ハンドル１１を、矢印Ｄａにおける＋の回動方向に付勢する付勢部材１３（この例においてねじりコイルばね１３）と、を有する。取っ手ユニットＴは、これらの部材が組み付けられた状態のものである。
【００２３】
取っ手ユニットＴについて、さらに図４及び図５を参照して詳述する。
図４は、取っ手ユニットＴの組立て図であり、右後斜め上方から見た斜視図である。
図５は、図３に示された取っ手ユニットＴを説明のために拡大した図である。
図４及び図５における上下左右前後の各方向は、理解を容易にするため、電気集塵機５１に取り付けられた状態での図１に示される方向に合わせている。
【００２４】
ベースプレート１２は、金属板材にプレス抜き加工及びプレス曲げ加工を施して形成されている。
【００２５】
ベースプレート１２は、矩形平板状で上下左右方向に延在する基部１２ａと、基部１２ａの左縁部及び右縁部において前方に折り曲げ形成された左壁部１２ｂ及び右壁部１２ｃと、左壁部１２ｂの先端から左方に基部１２ａと平行に延出した左鍔部１２ｄと、右壁部１２ｃの先端から右方に基部１２ａと平行に延出した右鍔部１２ｅと、を有する。
【００２６】
また、ベースプレート１２は、基部１２ａの上縁部において後方に向け直角に折り曲げ形成された上鍔部１２ｆを有する。
【００２７】
また、ベースプレート１２は、基部１２ａの下縁部に接続し、基部１２ａに対し前下方に傾斜延出する平面状の傾斜部１２ｇと、傾斜部１２ｇの下縁部に接続し基部１２ａと平行に下方に延出する下鍔部１２ｈと、を有する。
基部１２ａの外面１２ａ１及び傾斜部１２ｇの外面１２ｇ４は、平面状となっている（図６参照）。
【００２８】
左鍔部１２ｄ，右鍔部１２ｅ，上鍔部１２ｆ，及び下鍔部１２ｈのそれぞれには、筐体フレーム１にねじＮ１（図２及び図３参照）で締結するための孔１２ｊが、一つ又は複数形成されている。
ねじＮ１と孔１２ｊは、例えばタッピングスクリューとその下孔とされる。
【００２９】
左壁部１２ｂの上端部には、下方に向かって抉られた係合部１２ｂ１を有する。
右壁部１２ｃの上端部には、下方に向かって抉られた係合部１２ｃ１を有する。
係合部１２ｂ１及び係合部１２ｃ１は、それぞれハンドル１１の腕部１１ｃ及び腕部１１ｄ（それぞれ詳細は後述）が、微小隙間をもって回動可能に係合するよう形成されている。
係合部１２ｂ１及び係合部１２ｃ１は、上下前後方向において同じ位置に形成され、係合したハンドル１１を左右方向に延びる仮想の回動軸線ＣＬｔまわりに回動可能としている。
【００３０】
左鍔部１２ｄの中央部には、後方に延出するように折り曲げられて一対のばね支持片１２ｄ１，１２ｄ２が形成されている。
ばね支持片１２ｄ１，１２ｄ２は、上鍔部１２ｆと平行（基部１２ａに直交）に延出すると共に、上下方向において互いに対向する位置にある。
また、ばね支持片１２ｄ１，１２ｄ２の根本部分には、軸線が上下方向に延びる同軸となる貫通孔１２ｄ３，１２ｄ４が形成されている。
【００３１】
ハンドル１１は、金属の棒材（例えばステンレス棒）から形成されている。
図４に示されるように、ハンドル１１は、直状の把持部１１ａと、把持部１１ａの両端から同方向に折り曲げられた一対の接続部１１ｂ，１１ｂと、接続部１１ｂ，１１ｂの先端から折り曲げられてそれぞれ把持部１１ａと平行に、かつ互いに離れる方向に延びる腕部１１ｃ及び腕部１１ｄと、を有している。
腕部１１ｃと腕部１１ｄとは、把持部１１ａを通らない仮想の軸線ＣＬ１１を共通の軸線として延在形成されている。この軸線ＣＬ１１は、ハンドル１１がベースプレート１２に取り付けられた図５に示される状態で、実質的に回動軸線ＣＬｔと一致する。
【００３２】
ハンドル１１において左方側に位置する腕部１１ｃは、先端側がＤカットであるカット部１１ｃ１とされている。カット部１１ｃ１のカット面は、接続部１１ｂと概ね平行となる向きに形成されている。
【００３３】
図４に示されるように、この腕部１１ｃには、ねじりコイルばね１３が、外挿される。
ねじりコイルばね１３は、一方の端部１３ａがコイル断面の円形に対する弦となるよう曲げ処理され、他方の端部１３ｂが、端部１３ａが上下方向となる姿勢において、概ね前方に延びる腕とされている。
【００３４】
ねじりコイルばね１３は、端部１３ａが腕部１１ｃのカット部１１ｃ１に係合して回り止めされる。
この姿勢において、他方側の端部１３ｂは、図４に実線で示されるように前方に延びている。
【００３５】
このようにねじりコイルばね１３をハンドル１１の腕部１１ｃに装着したら、端部１３ｂを一点鎖線で示される位置まで回動させて弾性ねじり変形させる（図４の矢印Ｄｂ参照）。そして、その変形状態でベースプレート１２に対し、ハンドル１１ごと上方から装着する。
【００３６】
詳しくは、ハンドル１１の腕部１１ｄを係合部１２ｃ１に係合させ、ハンドル１１の腕部１１ｃにおける接続部１１ｂ側の部分を係合部１２ｂ１に係合させる。
さらに、弾性ねじり変形させたねじりコイルばね１３の端部１３ｂ（一点鎖線状態）を、ばね支持片１２ｄ１，１２ｄ２の貫通孔１２ｄ３，１２ｄ４に対しその順に挿通する。
【００３７】
これにより、図５に示されるように、ベースプレート１２にハンドル１１が取り付けられた状態である取っ手ユニットＴが得られる。
【００３８】
図５に示された取っ手ユニットＴは、通常の状態（以下、基準状態と称する）である。
取っ手ユニットＴは、基準状態において、ねじりコイルばね１３の端部１３ｂが貫通孔１２ｄ３，１２ｄ４に挿通係止されてねじり変形されている。
従って、ねじりコイルばね１３の弾性反発力（回動力）は、端部１３ａからカット部１１ｃ１に伝達される。
これにより、ハンドル１１は、図５に矢印Ｄｃで示される左方視で時計まわり方向に付勢されている。
【００３９】
取っ手ユニットＴは、この付勢により、図６に示されるように、基準状態でハンドル１１の把持部１１ａが傾斜部１２ｇに当接するようになっている。
すなわち、傾斜部１２ｇは、把持部１１ａが底壁１ａから離れると共に基部１２ａに接近する一対の腕部１２ｂ１，１２ｃ１の回動を、所定の回動位置で規制する規制部として機能する。
【００４０】
図６は、取っ手ユニットＴの図５におけるＳ６−Ｓ６位置での断面図である。
ハンドル１１は、基準状態において、図６の時計回り方向に付勢されている。これにより、把持部１１ａが、傾斜部１２ｇにおける下鍔部１２ｈに近い部位（当接部位Ｐ１）に当接して、ねじりコイルばね１３の弾性反発力に起因する時計まわり方向の回動が規制されている。すなわち、当接部位Ｐ１は、回動を規制する規制部として機能する。
このとき、下鍔部１２ｈの外面（前方側の面）１２ｈ１に対し、把持部１１ａは一部が突出している。ここでは、外面１２ｈ１から、把持部１１ａの最も前方に突出した部位１１ａ１までの前後方向の距離を距離Ｌａとしておく。
もちろん、把持部１１ａは、外面１２ｈ１から突出しなくてもよい。すなわち、ハンドル１１の基準状態において、把持部１１ａは、その少なくとも一部が凹部Ｔｕ内に収められている。
【００４１】
また、ハンドル１１の把持部１１ａにおける最も後方側となる部位は、回動軸線ＣＬｔ側の部分にあって、基部１２ａの外面（前方側の面）１２ａ１から前後方向距離として距離Ｌｂだけ離隔している。
距離Ｌｂは、指の太さの半分程度確保されていることが好ましい。
【００４２】
取っ手ユニットＴにおいて、ハンドル１１は、下方及び前後方向の移動が、腕部１１ｃと左壁部１２ｂとの係合、及び腕部１１ｄと右壁部１２ｃとの係合で規制される。
また、ハンドル１１の左方及び右方の移動は、接続部１１ｂ，１１ｂがそれぞれ左壁部１２ｂ及び右壁部１２ｃに当接することで規制される。
一方、取っ手ユニットＴにおいてハンドル１１の上方への移動は規制されず、許容されている。
【００４３】
上述の構成を有する取っ手ユニットＴは、図３に示されるように、筐体フレーム１における前壁１ｂの内側において、取付孔１ｂ１を塞ぐように取り付けられる。
具体的には、取っ手ユニットＴを、前壁１ｂと、前壁１ｂに最も近い極板２ａと、の間に下方側から挿入し、ねじＮ１によって固定する。
【００４４】
さらに詳しくは、上鍔部１２ｆを筐体ユニットの底壁１ａの内面１ａ２（図８参照）に当接させ、左鍔部１２ｄ及び右鍔部１２ｅを前壁１ｂにおける取付孔１ｂ１のそれぞれ左側及び右側に当接させ、下鍔部１２ｈを、前壁１ｂにおける取付孔１ｂ１の下側に当接させる。
【００４５】
筐体フレーム１には、取っ手ユニットＴの複数の孔１２ｊそれぞれに対応してねじＮ１の軸を挿通可能な複数の逃げ孔１ｆが形成されている。この逃げ孔１ｆを利用し、ねじＮ１によって筐体フレーム１を挟んで取っ手ユニットＴをねじ固定する。
【００４６】
これにより、図１及び図２に示されるように取っ手ユニットＴが荷電部５２に取り付けられる。
取っ手ユニットＴが取り付けられることにより、底壁１ａと側壁である前壁１ｂとに跨って内側に抉られる凹部Ｔｕが形成される。そして、ベースプレート１２の基部１２ａが、凹部Ｔｕの壁状の底部となる。
回動軸線ＣＬｔは、ハンドル１１の一対の腕部１１ｃ，１１ｄの軸線と一致して、凹部Ｔｕ内に前壁１ｂと平行に設定される。
【００４７】
図７は、図１におけるＳ７−Ｓ７位置での断面図である。
図７に示されるように、取っ手ユニットＴは、ねじＮ１により、筐体フレーム１の内面に当接するように固定されている。
この固定状態で、ベースプレート１２の基部１２ａは、筐体フレーム１の前壁１ｂと平行になっている。
換言するならば、取っ手ユニットＴは、基部１２ａが極板２と平行となるように取り付けられている。
【００４８】
既述のように、集塵部５３は、前後方向において、荷電部よりも外形が大きく、前方に張り出している。
すなわち、図１及び図７に示されるように、集塵部５３は、扁平箱状の筐体２１を有し、電気集塵機５１において、筐体２１の前壁２１ｂは、荷電部５２の前壁１ｂよりも前方に位置している。
【００４９】
より詳しくは、前後方向において、前壁２１ｂの外面２１ｂ１は、ハンドル１１の把持部１１ａの最前側の部位と同じ位置、又は前方側に位置している。
すなわち、図７における距離Ｌｃが、０≦Ｌｃとされている。
これにより、電気集塵機５１は、取っ手ユニットＴのハンドル１１が基準状態にあるときに、ハンドル１１が電気集塵機５１の外壁面から外側にはみ出さないようになっている。
【００５０】
電気集塵機５１の使用形態において、複数の電気集塵機５１を縦横等に並べて一台の大型電気集塵機、或いは一台のエアコンとされる場合がある。
このとき、ハンドル１１が外形からはみ出していないので、隣接する電気集塵機５１同士を密着させることができ、スペース効率がよく、その分、大型電気集塵機を小型化することができる。
これは、エアコンが一つの電気集塵機５１を内部に収容するタイプでも同様であり、エアコン内のスペース効率が向上するのでエアコンを小型化できる。
【００５１】
取っ手ユニットＴのハンドル１１は、ねじりコイルばね１３の付勢力に抗して持ち上げ、図８に示されるように、把持部１１ａが上方に位置した起立姿勢である把持位置まで回動させることができる（矢印Ｄｄ参照）。
図８には、理解容易のため、基準状態のハンドル１１の外形線の一部を二点鎖線で記載してある。
【００５２】
ハンドル１１は、把持位置にあるとき、前後左右の各方向への移動が、基準位置の場合と同様に規制されている。
一方、上方への移動は、取っ手ユニットＴとしては許容されているが、図８から明らかなように、腕部１１ｃ（厳密にはねじりコイルばね１３）と腕部１１ｄ（１１ｃ）が、筐体フレーム１の底壁１ａの内面１ａ２に当接することで規制されるようになっている。
【００５３】
電気集塵機５１を手により持ち上げたりする際には、ハンドル１１はこの把持位置とされる。
従って、電気集塵機５１を、ハンドル１１を把持して持ち上げた際の電気集塵機５１自体の質量は、筐体フレーム１の底壁１ａで支えるようになっている。
もともと筐体フレーム１は、自重を支えるに十分な強度をもって形成されているので、支障はない。
【００５４】
また、これにより、取っ手ユニットＴがこの電気集塵機５１の質量を支えることがないので、ベースプレート１２を低強度で形成しても支障はない。すなわち、ベースプレート１２を、板厚の薄い材料で形成することができ、低コストとなる。
【００５５】
把持位置で把持したハンドル１１から手を放すと、ハンドル１１は、ねじりコイルばね１３の付勢力によって自動的に基準状態に戻る。
従って、ハンドル１１は、把持時以外は、常に電気集塵機５１の外形内に収められている。
これにより、例えば、電気集塵機５１を天井設置や床置きのエアコン内に収める作業などにおいて、手を放したハンドル１１が外形から突出したままとなり、他の部材に引っ掛かかるなどして作業の妨げになる、ということがなく、作業効率が向上する。
【００５６】
また、上述のように、基準状態で、ハンドル１１の把持部１１ａの回動軸線ＣＬｔ側の部分と、ベースプレート１２の基部１２ａの外面１２ａ１と、は、前後方向において距離Ｌｂだけ離隔している。すなわち、把持部１１ａにおける回動軸線ＣＬｔ側には、外面１２ａ１との間に隙間が形成されている。
これにより、図９に示されるように、電気集塵機５１は、基準状態にあるハンドル１１を把持しようとする際に、基部１２ａに沿って上方から下方に指Ｆｇを差し込めば、自ずとハンドル１１の把持部１１ａに指が掛るようになっている。そのため、ハンドル１１への指掛け動作が大変容易である。
【００５７】
また、基部１２ａの下方側に傾斜部１２ｇが形成されており、把持部１１ａが傾斜部１２ｇの下縁に近い位置にあるので、差し込んだ指Ｆｇが傾斜部１２ｇによって把持部１１ａ側に誘導される。これにより、良好な感触でハンドル１１に指Ｆｇを掛けることができる。すなわち、傾斜部１２ｇは、指Ｆｇを把持部１１ａに掛けるように誘導する誘導壁部として機能する。
【００５８】
電気集塵機５１は、基準状態でハンドル１１の姿勢を底壁１ａに直角ではなく、底壁１ａから離れるほど外方へ向かうように傾斜させている。
これにより、ベースプレート１２は、ハンドル１１の基準状態でその把持部１１ａと隙間をもたせる基部１２ａを、内側に傾斜させることなく底壁１ａに直交延在する壁にできる。
また、既述のように、極板２と基部１２ａとは、平行配置されている。
【００５９】
従って、図９に示されるように、基部１２ａと、極板２の内で基部１２ａに最も近い極板２ａ（図２及び図３も参照）との前後方向の最大の距離Ｌｄを、小さくすることができる。
これにより、荷電部５２は、空気を取り入れる開口部１ａ１の開口効率が向上し、荷電部５２の外形サイズを小型化できる。
【００６０】
また、電気集塵機５１は、基準状態のハンドル１１が、荷電部５２の厚さ方向（上下方向）に延在する姿勢となっており、把持の際には、厚さ方向に延在する姿勢から外方に回動させるようにしている。
これによっても、荷電部５２における開口部１ａ１の開口効率が向上し、荷電部５２の外形サイズを小型化できる。
これにより、
【００６１】
以上詳述した電気集塵機５１は、取っ手であるハンドル１１が金属で形成されている。
これにより、電気集塵機５１を長期間使用しても、ハンドル１１の物性劣化は実質的に発生せず、ハンドル１１の初期の良好な使い勝手が維持される。
また、ハンドル１１を含む取っ手ユニットＴも、樹脂を用いることなく構成可能である。
そのため、取っ手ユニットＴを備えた電気集塵機５１は、手での持ち運び等の取扱いが長期間良好に維持される。
【００６２】
本発明の実施例は、上述した構成に限定されるものではなく、本発明の要旨を逸脱しない範囲において以下のような変形例としてもよい。
【００６３】
取っ手ユニットＴにおけるベースプレート１２は、上述の傾斜部１２ｇを有するものに限定されない。例えば、図１０に示される変形例としてのベースプレート１２１〜１２３としてもよい。
【００６４】
図１０（ａ）〜（ｃ）は、それぞれベースプレート１２１〜１２３の形状とハンドル１１の位置とを説明するための部分断面図であり、図６の下方部分に対応する図である。
【００６５】
図１０（ａ）に示されるように、ベースプレート１２１は、基部１２ａと下鍔部１２ｈとを基部１２ａに直交する棚部１２ｇ１で繋いだものとされている。
ハンドル１１の把持部１１ａは、基準状態において、棚部１２ｇ１と下鍔部１２ｈとが接続する角部に当接している。
【００６６】
図１０（ｂ）に示されるように、ベースプレート１２２は、基部１２ａと下鍔部１２ｈとを、外側（後側）に凸となる誘導壁部としての湾曲部１２ｇ２で繋いだものとされている。
ハンドル１１の把持部１１ａは、基準状態において、湾曲部１２ｇ２と下鍔部１２ｈとが接続する角部に当接している。
【００６７】
図１０（ｃ）に示されるように、ベースプレート１２３は、基部１２ａと下鍔部１２ｈとを基部１２ａに直交する棚部１２ｇ３で繋いだものとされている。
この棚部１２ｇ３は、ハンドル１１の把持部１１ａよりも下方側に位置しており、ハンドル１１のと時計まわり方向の回動は、右壁部１２ｃに形成されてハンドル１１の接続部１１ｂと干渉する突起部１２ｃ２により規制される。
【００６８】
いずれの場合も、把持部１１ａにおける回動軸線ＣＬｔ側（図１０の上方側）の部分において、基部１２ａと把持部１１ａとの間に前後方向の距離Ｌｂの隙間が得られる。これにより、ベースプレート１２と同様に、基準状態において、指を把持部１１ａに容易に掛けることができる。
【００６９】
実施例及びその変形例は、取っ手ユニットＴが荷電部５２に備えられている電気集塵機５１について説明したが、電気集塵機は、取っ手ユニットＴを集塵部５３側に備えていてもよい。この場合、荷電部５２の外形を集塵部５３の外形よりも大きくして、ハンドル１１が電気集塵機の外形から外側にはみ出さないようにする。
【００７０】
また、予め組み立てておく取っ手ユニットＴを用いることなく、筐体フレーム１自体に、ベースプレート１２などに相当するハンドル受け構造を、プレス曲げ加工等で形成してもよい。
ただし、ハンドル受け構造を、複数個所に設けること、加工も容易ではないことなどから、実施例のように取っ手ユニットＴを予め組み立てておき、筐体フレーム１に取り付けるようにすることが望ましい。
【００７１】
上述の各変形例は、可能な範囲において互いに組み合わせることができる。
【符号の説明】
【００７２】
１  筐体フレーム
１ａ  底壁、    １ａ１  開口部、    １ａ２  内面、    １ｂ  前壁
１ｂ１  取付孔、    １ｃ  後壁、    １ｃ１  取付孔、    １ｄ  左壁
１ｅ  右壁
２  極板
１１  ハンドル
１１ａ  把持部、    １１ａ１  部位、    １１ｂ  接続部
１１ｃ，１１ｄ  腕部、    １１ｃ１  カット部
１２，１２１〜１２３  ベースプレート
１２ａ  基部（底部）、    １２ａ１  外面、    １２ｂ  左壁部
１２ｂ１  係合部、    １２ｃ  右壁部、    １２ｃ１  係合部
１２ｃ２  突起部、    １２ｄ  左鍔部、    １２ｄ１，１２ｄ２  支持片
１２ｄ３，１２ｄ４  貫通孔、    １２ｅ  右鍔部、    １２ｆ  上鍔部
１２ｇ  傾斜部、    １２ｇ１，１２ｇ３  棚部、    １２ｇ２  湾曲部
１２ｇ４  外面、    １２ｈ  下鍔部、    １２ｈ１  外面、    １２ｊ  孔
１３  ねじりコイルばね、    １３ａ，１３ｂ  端部
２１  筐体、    ２１ｂ  前壁、    ２１ｂ１  外面
５１  電気集塵機
５２  荷電部、    ５２ａ  フィルタ、      ５３  集塵部
ＣＬｔ  回動軸線、    ＣＬ１１  軸線
Ｆｇ  指
Ｌａ，Ｌｂ，Ｌｃ，Ｌｄ  距離
Ｎ１  ねじ
Ｐ１，Ｐ２  当接部位
Ｔ  取っ手ユニット、    Ｔｕ  凹部
【図１】
0006666718.tif 000002
【図２】
0006666718.tif 000003
【図３】
0006666718.tif 000004
【図４】
0006666718.tif 000005
【図５】
0006666718.tif 000006
【図６】
0006666718.tif 000007
【図７】
0006666718.tif 000008
【図８】
0006666718.tif 000009
【図９】
0006666718.tif 000010
【図１０】
0006666718.tif 000011